【事件の表示】
　平成１１年特許願第２７４５０５号「プリンタ装置および電子カメラ装置」拒絶査定不服審判事件〔平成１３年　４月１３日出願公開、特開２００１−１０３２６９〕について、次のとおり審決する。
【結　論】
　本件審判の請求は、成り立たない。
【理　由】
１．手続の経緯・本願発明 
　本願は、平成１１年９月２８日の出願であって、その請求項１に係る発明は、平成１５年２月６日付けの手続補正書により補正された明細書及び図面の記載からみて、その特許請求の範囲の請求項１に記載された次の事項により特定されるとおりのものと認める。（以下、「本願発明」という。）
「【請求項１】　画像データに付帯する付帯情報を前記画像データ上に合成することによって印刷画像データを生成する印刷画像データ生成手段と、
　前記印刷画像データ生成手段によって生成された印刷画像データをプリント出力する印刷手段と、
　使用者によって操作され、上下左右に応じた４つの方向を指示する方向操作部と、
　前記方向操作部の指示に応じて、前記画像データの撮影時の向きに対応する向きで前記付帯情報の合成が行われるように、前記付帯情報の位置を前記画像データの上下左右の４つの辺のいずれかの辺に設定すると共に、当該設定された辺に応じて前記付帯情報の向きを変更する制御手段とを具備することを特徴とするプリンタ装置。」
　
２．引用例
　これに対して、原査定の拒絶の理由に引用された、平成８年３月２２日に頒布された特開平８−７９４９７号公報（以下「引用例」という。）には、次の事項が記載されている。
（１）「【請求項１】 ビデオ画像を記憶するための画像メモリと、ビデオ画像のプリントする向きを指示する指示手段と、この指示された向きにビデオ画像を９０度回転変換させるビデオ画像用の縦横変換手段と、プリント日等の文字画像を発生する手段と、この文字画像を記憶する文字画像用のメモリと、指示手段によって指示されたビデオ画像の向きに対応して文字画像を９０度回転変換する文字画像用の縦横変換手段と、ビデオ画像と文字画像とを合成する画像合成手段とを備えたことを特徴とするビデオプリンタ。」（２頁１欄２〜１１行）
（２）「【０００１】
【産業上の利用分野】本発明は、撮影日，プリント日，タイトル等の文字画像をビデオ画像に合成してプリントする機能を備えたビデオプリンタに関するものである。
【０００２】
【従来の技術】ビデオテープレコーダや電子スチルカメラ等で再生されたビデオ画像をデジタル化してフレームメモリもしくはフィールドメモリに取り込み、このビデオ画像に各種の画像処理を施してからプリントアウトするビデオプリンタが知られている。このビデオプリンタでは、プリント形態として、フルサイズモードとハーフサイズモードとが用意されている。フルサイズモードは、例えばＡ６サイズの記録紙を用い、１コマのビデオ画像の天地が記録紙の長辺側となるように、記録紙のほぼ全面にビデオ画像を３：４の縦横比でプリントする。ハーフサイズモードは、ポストカードの作成に用いられるものであり、ビデオ画像のサイズを縮小するとともに、その向きを９０度回転させ、ビデオ画像の天地が記録紙の短辺側となるように、記録紙の上半分にプリントする。
【０００３】従来のビデオプリンタでは、文字画像合成機能を備えており、キーボードで入力した撮影日，タイトル，又は内蔵した時計（カレンダー）によるプリント日等の文字画像をビデオ画像と合成し、この合成画像をプリントすることができる。」（２頁１欄２６〜５０行）
（３）「【００２１】画像合成部２１は、文字画像とビデオ画像とを嵌め込み合成して、モニタ系に送る。プリントが指示されると画像合成部２１は、合成画像をプリント系に送る。文字画像を合成しない場合は、ビデオ画像だけがモニタ系またはプリント系に送られる。
【００２２】プリント系は、ラインメモリ３３，ヘッド駆動部３４，サーマルヘッド３５から構成されている。プリント時には、画像合成部２１から出力された１ライン分の画像データがラインメモリ３３に書き込まれる。この１ライン分の画像データは、ヘッド駆動部３４に取り出される。」（４頁５欄４３行〜同頁６欄３行）
（４）「【００４１】上記実施例では、フルサイズモード、ハーフサイズモードをのいずれかを選択した時に、自動的に文字画像のプリントされる向きを変えているが、ビデオカメラ等で縦横を意図的に変えて、縦長のビデオ画像に文字画像を合成する場合を考慮して、文字画像の向きを指定するキーを設け、プリント方向をマニュアルで変更できるようにしてもよい。上記実施例では、文字画像の嵌め込み合成される位置が固定しているが、例えばキーボード２６のカーソルキーを操作して記録位置を任意に設定してもよい。」（６頁１０欄１３〜２２行）
　
この記載事項によると、引用例には、
「ビデオ画像を記憶するための画像メモリと、ビデオ画像のプリントする向きを指示する指示手段と、この指示された向きにビデオ画像を９０度回転変換させるビデオ画像用の縦横変換手段と、プリント日等の文字画像を発生する手段と、この文字画像を記憶する文字画像用のメモリと、指示手段によって指示されたビデオ画像の向きに対応して文字画像の向きを指定するキーと、ビデオ画像と文字画像とを合成する画像合成手段と、画像合成手段から出力された画像データを印刷する印刷手段を備え、
　文字画像の向きを指定するキーを設けることにより、ビデオカメラ等で縦横を意図的に変えて、縦長のビデオ画像に文字画像を合成する場合を考慮して、プリント方向をマニュアルで変更できるようにしたことを特徴とするビデオプリンタ。」
の発明が記載されていると認められる。
　
３．対比
　本願発明と引用例に記載された発明を対比すると、
引用例の「ビデオ画像」は本願発明の「画像データ」に、
引用例の「プリント日等の文字画像」は本願発明の「付帯情報」に、
引用例の「画像合成手段」は、本願発明の「印刷画像データ生成手段」に、
引用例の「文字画像の向きを指定するキー」は、下記の相違点を除いて本願発明の「方向操作部」に、
引用例の「ビデオプリンタ」は、本願発明の「プリンタ装置」に、
それぞれ相当するから、
　両者は次の点で一致する。
（一致点）
「画像データに付帯する付帯情報を前記画像データ上に合成することによって印刷画像データを生成する印刷画像データ生成手段と、
　前記印刷画像データ生成手段によって生成された印刷画像データをプリント出力する印刷手段と、
　使用者によって操作され、方向を指示する方向操作部と、
　前記方向操作部の指示に応じて、前記付帯情報の合成が行われるように、前記付帯情報の位置を前記画像データのいずれかの辺に設定すると共に、当該設定された辺に応じて前記付帯情報の向きを変更することを特徴とするプリンタ装置。」
　
（相違点）
（相違点１）
　方向操作部が、本願発明では、使用者によって操作され、
上下左右に応じた４つの方向
（相違点２）
　本願発明では、方向操作部の指示に応じて、
前記画像データの撮影時の向きに対応する向きで
上下左右の４つの辺
　
４．当審の判断
  上記相違点について検討すると、
（相違点１）について
　引用例のものは、２つの方向について文字画像の向きを指定するものであると認められるが、２つの方向のものが有れば、４つの方向についても考えること、また、そのための方向操作部を設けることは当業者ならば容易に考えられることである。
　
（相違点２）について
　引用例のものも、段落【００４１】に記載されているように、ビデオカメラ等で縦横を意図的に変えて、縦長のビデオ画像に文字画像を合成する場合を考慮して、文字画像の向きを指定するのであり、画像データの撮影時の向きに対応する向きで、文字画像を合成しており、文字情報の位置は２つの辺のいずれかの辺に設定され、当該設定された辺に応じて文字情報の向きも変更されるものである。これを、４つの方向について考えることは上記に述べたように格別のことでなく、また、これらの制御を制御手段で行うことは当業者が容易に考えられることである。
　
５．むすび
　したがって、本願発明は、引用例に記載された発明に基いて当業者が容易に発明をすることができたものであるので、特許法第２９条第２項の規定により特許を受けることができない。 
　よって、結論のとおり審決する。